(57)【要約】【課題】各部材のコストアップを抑制できながら、両継手部材間に異なるベクトルの外力が作用しても応力分散によって健全な接続状態を維持できるようにする。【解決手段】空調機のドレン排水口Ｋ２と、ドレン排水管とにわたって、継手部２を介して着脱自在な状態にドレンホース３を取り付けてあり、継手部２は、筒軸芯Ｘ方向に沿って連通接続自在な一対の継手筒部４，５と、一対の継手筒部４，５の夫々の外周面に一体に設けられた鍔状の突き合わせ用フランジ部ｆ４，ｆ５と、一対のフランジ部ｆ４，ｆ５どうしを突き合わせた状態で一対の継手筒部４，５の外周部に径方向に沿って係入させることで一対のフランジ部ｆ４，ｆ５どうしの離間を阻止する状態に取付自在な係止具６とを備えて構成してあり、係止具６は、一対の継手筒部４，５に係止させた状態で、その全長又はほぼ全長で、継手筒部４，５の外周部に当接して囲繞するように形成してある。【選択図】図３
2015105789.tif 000002
【特許請求の範囲】
【請求項１】
空調機のドレン排水口と、ドレン排水管とにわたって、継手部を介して着脱自在な状態にドレンホースを取り付けてあるドレンホース接続構造であって、
前記継手部は、筒軸芯方向に沿って連通接続自在な一対の継手筒部と、前記一対の継手筒部の夫々の外周面に一体に設けられた鍔状の突き合わせ用フランジ部と、前記一対のフランジ部どうしを突き合わせた状態で前記一対の継手筒部の外周部に径方向に沿って係入させることで前記一対のフランジ部どうしの離間を阻止する状態に取付自在な係止具とを備えて構成してあり、
前記係止具は、前記一対の継手筒部に係止させた状態で、その全長又はほぼ全長で、前記継手筒部の外周部に当接して囲繞するように形成してあるドレンホース接続構造。
【請求項２】
前記係止具は、前記一対の継手筒部に係止させた状態で、前記フランジ部の外周面が透視自在となる窓部を備えており、
前記一対のフランジ部は、その外周面を、前記継手筒部と異なる色彩に仕上げてある請求項１に記載のドレンホース接続構造。
【請求項３】
前記一対の継手筒部は、透明に形成してある請求項１又は２に記載のドレンホース接続構造。
【発明の詳細な説明】
【技術分野】
【０００１】
本発明は、空調機のドレン排水口と、ドレン排水管とにわたって、継手部を介して着脱自在な状態にドレンホースを取り付けてあるドレンホース接続構造に関する。
【背景技術】
【０００２】
従来、この種のドレンホース接続構造としては、前記継手部は、筒軸芯方向に沿って連通接続自在な一対の継手筒部と、前記一対の継手筒部の夫々の外周面に一体に設けられた鍔状の突き合わせ用フランジ部と、前記一対のフランジ部どうしを突き合わせた状態で前記一対の継手筒部の外周部に外嵌させることで前記一対のフランジ部どうしの離間を阻止する状態に取付自在な係止具とを備えて構成してあるものがある（例えば、特許文献１参照）。
前記係止具は、一対のフランジ部の外周部に沿って囲繞する状態に配置自在な囲繞部材で構成してある。囲繞部材は、円弧状の一対の分割囲繞部材で構成してあり、分割囲繞部材の一端部どうしはヒンジ連結してあり、他端部には、互いに係合連結自在な係合部が設けてある。また、囲繞部材の内周面には、フランジ部の外縁部が内嵌自在な周溝が形成してある。
フランジ部への係止具の取り付けは、フランジ部の外方に囲繞部材を配置すると共に、周溝をフランジ部の外縁部に被せて、両分割囲繞部材が近接するようにヒンジ周りに相対回転させ、係合部どうしを係合させることで囲繞状態に取り付けることができる。
このように、フランジ部の外縁部に周溝が外嵌する状態に係止具を設置してあることで、周溝の溝壁が両フランジ部のフランジ外面を拘束して筒軸芯方向に沿って離間するのを阻止している。
【先行技術文献】
【特許文献】
【０００３】
【特許文献１】特開２０１１−１０６６０４号公報（図１１〜１４）
【発明の概要】
【発明が解決しようとする課題】
【０００４】
上述した従来のドレンホース接続構造によれば、一対の継手筒部どうしは、囲繞部材の周溝によって拘束されている両フランジ部を介して接続されているから、両継手筒部材に、例えば、引き離したり径方向にずらす等の異なるベクトルの外力が作用した場合、それによる応力は、拘束されている両フランジ部の局部に集中して作用することになり、破損しやすい問題点がある。
また、破損防止の為にフランジ部や囲繞部材を厚肉にしたり、高強度の素材を使用するとコストアップにつながる新たな問題が生じる。
【０００５】
従って、本発明の目的は、上記問題点を解消し、各部材のコストアップを抑制できながら、両継手部材間に異なるベクトルの外力が作用しても応力分散によって健全な接続状態を維持し易いドレンホース接続構造を提供するところにある。
【課題を解決するための手段】
【０００６】
本発明の第１の特徴構成は、空調機のドレン排水口と、ドレン排水管とにわたって、継手部を介して着脱自在な状態にドレンホースを取り付けてあるドレンホース接続構造であって、前記継手部は、筒軸芯方向に沿って連通接続自在な一対の継手筒部と、前記一対の継手筒部の夫々の外周面に一体に設けられた鍔状の突き合わせ用フランジ部と、前記一対のフランジ部どうしを突き合わせた状態で前記一対の継手筒部の外周部に径方向に沿って係入させることで前記一対のフランジ部どうしの離間を阻止する状態に取付自在な係止具とを備えて構成してあり、前記係止具は、前記一対の継手筒部に係止させた状態で、その全長又はほぼ全長で、前記継手筒部の外周部に当接して囲繞するように形成してあるところにある。
【０００７】
本発明の第１の特徴構成によれば、係止具は、一対の継手筒部に係止させた状態で、その全長又はほぼ全長で、継手筒部の外周部に当接して囲繞するように形成してあるから、継手部での接続として、係止具は、フランジ部どうしの接続のみならず、継手筒部どうしの接続にも寄与している。
つまり、係止具は、フランジ部どうしの離間阻止を行うと共に、係止具の全長（又はほぼ全長）で継手筒部の外周部に当接して囲繞するから、拘束力をフランジ部と継手筒部とに分散させた状態に取り付けることができる。その結果、両継手部材間に異なるベクトルの外力が作用しても、応力分散によって安定した健全な接続状態を維持し易い。
また、余分な部材補強を行わなくてもよいから、各部材のコストアップを抑制することもできる。
更には、係止具は、継手筒部の外形に沿った形状に構成しやすいから、不必要な凹凸を避け、円形に近いシンプルな外観形状を採用でき、美観性の向上を図ることができる。また、外形がシンプルであるから、例えば、継手部ごと断熱材を巻いて保温を図る等の付随作業も実施し易くなる。
【０００８】
本発明の第２の特徴構成は、前記係止具は、前記一対の継手筒部に係止させた状態で、前記フランジ部の外周面が透視自在となる窓部を備えており、前記一対のフランジ部は、その外周面を、前記継手筒部と異なる色彩に仕上げてあるところにある。
【０００９】
本発明の第２の特徴構成によれば、窓部を設けてあるから、一対のフランジ部どうしの接続状態が、窓部を通して目視確認することができる。更には、そのフランジ部は、継手筒部と異なる色彩に仕上げてあるから、フランジ部とその周囲との色彩の差によって、より明確にフランジ部どうしの接続状態を目視確認することができる。
従って、継手部においてフランジ部どうしが確実に当接した良好な接続状態を一目瞭然に認識でき、漏水のない継手部を形成できる。
【００１０】
本発明の第３の特徴構成は、前記一対の継手筒部は、透明に形成してあるところにある。
【００１１】
本発明の第３の特徴構成によれば、継手部の内部を外部から簡単に透視でき、管内の流体の流通状況を認識することができる。従って、メンテナンス性の向上を図ることができる。
【図面の簡単な説明】
【００１２】
【図１】ドレンホース接続構造を示す側面図
【図２】継手部の接続状態を示す斜視図
【図３】継手部の接続状態を示す斜視図
【図４】継手部の接続状態を示す斜視図
【図５】継手部の接続状態を示す断面図
【図６】継手部に閉塞用キャップを取り付けた状態を示す斜視図
【図７】継手部に閉塞用キャップを取り付けた状態を示す断面図
【発明を実施するための形態】
【００１３】
以下に本発明の実施の形態を図面に基づいて説明する。
【００１４】
図１は、本発明のドレンホース接続構造の一実施形態を、天井内に設置したドレン配管Ｄに採用してある例を示している。
【００１５】
ドレン配管Ｄは、天井内に設置された例えばファンコイルユニット等の空調機Ｋと、排水勾配をつけて設置されたドレン排水管１とにわたって設けてあり、空調機Ｋから発生するドレン水Ｗを、ドレン排水管１に送れるように構成してある。
【００１６】
空調機Ｋは、内部にドレンアップポンプＫ１が設けてあり、このドレンアップポンプＫ１を駆動させることで、内部に発生したドレン水Ｗを、ドレン排水口Ｋ２を通してドレン配管Ｄからドレン排水管１に排出できるように構成されている。
【００１７】
ドレン排水管１は、ドレン配管Ｄ側の端部である基端部１ａを、前記ドレン排水口Ｋ２より若干量、高い位置に配置してあり、先端部１ｂ側にかけて下り勾配となるように設置されている。
従って、空調機ＫのドレンアップポンプＫ１でドレン排水管１に送られてきたドレン水Ｗは、下り勾配に沿って先端部１ｂ側に自然流下して排出される。
【００１８】
ドレン排水口Ｋ２とドレン配管Ｄ、及び、ドレン配管Ｄとドレン排水管１は、それぞれ継手部２を介して着脱自在に連通接続されている。
ドレン配管Ｄは、上下反転「Ｕ」字形状に屈曲させたドレンホース３の両端に、それぞれ継手部２を備えて構成してある。上下反転「Ｕ」字形状に形成してあることで水封を構成し、ドレン排水管１から空調機Ｋへのドレン水の逆流を防止している。
【００１９】
ドレンホース３は、内外二重構造に形成してあり、内層のホース部３Ａと、外層の断熱材部３Ｂとから構成されている。
ホース部３Ａは、例えば、繊維補強が施されて耐圧性に優れた合成樹脂製ホースとして構成されている。
断熱材部３Ｂは、独立気泡の高発泡ゴムで形成してあり、防露性能に優れている。
【００２０】
継手部２は、合成樹脂によって形成してあり、図２〜５に示すように、筒軸芯Ｘ方向に沿って連通接続自在な第１継手部材（継手筒部に相当）４と第２継手部材（継手筒部に相当）５と、それら一対の第１・第２継手部材４、５にわたって係止させることで、互いの接続状態を維持させるファスナー（係止具に相当）６とを設けて構成してある。
【００２１】
第１継手部材４は、透明の合成樹脂によって形成してあり、図５に示すように、筒軸芯Ｘ方向での一端側には、ドレン排水口Ｋ２（又は、ドレン排水管１）を内嵌接続自在な第１接続部４ａを備え、筒軸芯Ｘ方向での他端側には、第２継手部材５を内嵌接続自在な第２接続部４ｂを備えて構成してある。
尚、当該実施形態においては、ドレン排水管１と接続される第１継手部材４に限っては、第１接続部４ａは、筒軸芯Ｘが屈曲するエルボ管として構成されている。
また、第２接続部４ｂの他端側の端縁部には、径方向の外方へ突出する鍔状のフランジ部ｆ４が全周にわたって一体に設けられている。尚、フランジ部ｆ４の先端面（外周面に相当）ｆ４ａは、例えば、黄色等、目視確認しやすい色彩に着色されている。この着色は、塗料の塗布や、着色テープの塗布等、公知の各種着色方法によって実施することができる。
また、第２接続部４ｂの筒軸芯Ｘ方向での中間部には、全周にわたってリブｒが一体に形成してあり、このリブｒは、前記フランジ部ｆ４と共に、第１継手部材４の補強作用を叶えている。
【００２２】
第２継手部材５は、透明の合成樹脂によって形成してあり、図５に示すように、筒軸芯Ｘ方向での一端側には、第１継手部材４の第２接続部４ｂに内嵌接続自在な第３接続部５ａを備え、筒軸芯Ｘ方向での他端側には、ホース部３Ａを嵌合接続自在な第４接続部５ｂを備えて構成してある。
また、第３接続部５ａの外周面には、複数条の周溝ｍが形成してあり、それらの周溝ｍには、それぞれオーリングｎが嵌合してあり、第２接続部４ｂと第３接続部５ａとの嵌合面に介在することで継手部２の密閉性の向上を図っている。
第３接続部５ａの第４接続部５ｂ側の部分には、径方向の外方へ突出する鍔状のフランジ部ｆ５が全周にわたって一体に設けられている。尚、フランジ部ｆ５の先端面（外周面に相当）ｆ５ａは、前記フランジ部ｆ４と同様に着色されている。
そして、第３接続部５ａを、第１継手部材４の第２接続部４ｂ内に挿入して、両フランジ部ｆ４，ｆ５どうしを当接させることで、第１継手部材４と第２継手部材５との所定の接続位置になる。
【００２３】
尚、当該実施形態においては、ドレン配管Ｄの両端に備えた継手部２の内、空調機Ｋ側（上流側）に配置されている継手部２においては、第２継手部材５が、筒軸芯Ｘが屈曲するエルボ管として構成され、両継手部２の内、ドレン排水管１側（下流側）に配置されている継手部２においては、第１継手部材４が同様にエルボ管として構成されている（図１参照）。
【００２４】
ファスナー６は、弾性変形自在な合成樹脂製で、赤色に着色してある。図３、図４に示すように、前記所定の接続位置になるように嵌合した第１継手部材４と第２継手部材５との一対のフランジ部ｆ４，ｆ５の周囲に、筒径方向に沿って係入させることで一対のフランジ部ｆ４，ｆ５どうしの離間を阻止する状態に取り付けることができる。
【００２５】
具体的には、ファスナー６は、筒軸芯Ｘ方向視による断面形状が「Ｃ」形状となるように形成した一対のファスナー本体６Ａと、一対のファスナー本体６Ａどうしを、筒軸芯方向に所定の間隔を明けて一体に連結する複数の連結体６Ｂとを備えて構成してある。
ファスナー６における断面「Ｃ」形状の先端間の開口７が、第１、第２継手部材４，５に対する係入口となる。
【００２６】
一対のファスナー本体６Ａは、前記所定の接続位置にある第１継手部材４と第２継手部材５との一対のフランジ部ｆ４，ｆ５の外フランジ面ｆ４ｂ，ｆ５ｂにそれぞれ当接する離間距離をあけて形成してあると共に、全長又はほぼ全長において内周面が、第１継手部材４と第２継手部材５の外周面に当接して囲繞できるように構成されている。
【００２７】
連結体６Ｂは、ファスナー本体６Ａの全長での両端部と、中央部との３箇所で、両ファスナー本体６Ａどうしを繋いでいる。
また、ファスナー本体６Ａの両端部に設けてある両連結体６Ｂは、前記開口７に面する両内周面６Ｂａが、外径側ほど離間する傾斜面として構成してあり、ファスナー６を両継手部材４，５の周囲に筒径方向に沿って係入させる時に、ファスナー６の拡径方向への弾性変形をスムースにできるようにするガイド面として構成してある。
従って、両継手部材４，５どうしを嵌合させて前記所定の接続位置にした状態で、ファスナー６を、両フランジ部ｆ４，ｆ５の外周面に開口７が向く状態で配置して、径方向に近接させながら係入させると、ガイド面どうしが離間する拡径状態に弾性変形し、最大径の部分を乗り越えると、弾性復元力の作用で係入が深まり、両ファスナー本体６Ａが、両フランジ部ｆ４，ｆ５の両脇に位置する状態に係止させることができる。
この状態においては、両継手部材４，５どうしは、ファスナー６によって離間するのが阻止されたロック状態となる。
また、両継手部材４，５どうしを外す場合は、上述と反対の手順でファスナー６の係止を解除することで、簡単に実施することができる。
【００２８】
また、両ファスナー本体６Ａと各連結体６Ｂとで囲まれた部分は、窓部６Ｃとして構成され、前記所定の接続位置にある両フランジ部ｆ４，ｆ５の先端面ｆ４ａ，ｆ５ａを、この窓部６Ｃを通して目視確認できる。
従って、窓部６Ｃが設けてあることで、各接続状態が正常な状態であることを目視によってチェックすることができる。
その際、フランジ部ｆ４，ｆ５の色と、ファスナー６の色と、更には、両継手部材４，５の色とをそれぞれ異なるように設定してあることで、それぞれの部品の判別がし易くなり、接続状況の確認をより明確に行うことが可能となっている。
【００２９】
本実施形態のドレンホース接続構造によれば、ファスナー６による拘束力を、両フランジ部ｆ４，ｆ５と両継手部材４，５とに分散させた状態に継手部２を構成できるから、経済的に且つ安定的に健全な接続状態を維持し易くなる。
また、継手部２は、不必要な凹凸を避け、円形に近いシンプルな外観形状を採用でき、美観性の向上を図ることができる。
更には、継手部２の外周部に断熱材を巻いて保温を図る等の付随作業も実施し易くなる。
そして、上述したとおり、両フランジ部ｆ４，ｆ５どうしの当接状態を外から確認しやすくしたことで、継手部２の連結状態をより確実なものとすることができる。
【００３０】
〔別実施形態〕
以下に他の実施の形態を説明する。
【００３１】
〈１〉  係止具６は、先の実施形態で説明したファスナーに限るものではなく、材質や形状の変更も可能である。
例えば、材質に関しては、合成樹脂製に替えて、金属製であってもよい。
また、形状に関しては、必ずしも、窓部６Ｃを備えてなくてもよく、また、色彩に関しては、継手筒部４，５と同じ色彩に仕上げてあってもよい。
要するに、一対の継手筒部４，５に係止させた状態で、その全長又はほぼ全長で継手筒部４，５の外周部に当接して囲繞し、一対のフランジ部ｆ４，ｆ５どうしの離間を阻止するように構成してあればよく、それらを含めて係止具６と総称する。
【００３２】
〈２〉  継手筒部４，５は、先の実施形態で説明したものに限るものではなく、材質や形状の変更も可能である。
例えば、材質に関しては、透明な合成樹脂に限るものではなく、不透明な合成樹脂であったり、金属製であってもよい。
また、形状に関しては、ドレン排水管１やドレン排水口Ｋ２やドレンホース３との接続部は、内嵌、外嵌、ネジ嵌合等、何れの方式で接続するものであってもよい。また、先の実施形態で説明したリブｒは、必ずしも備えておかなくてもよい。
【００３３】
〈３〉  当該ドレンホース接続構造においては、ドレン排水管１、ドレンホース３を対象とした気密試験を行う際、より簡単に実施することができる。
その方法の一例を示すと、空調機Ｋ側の継手部２において、第１継手部材４を取り外して、その跡に、図６、図７に示すように、閉塞用キャップ８を取り付けて、係止具６を係止させることで、ドレンホース３の一端を簡単に且つ確実に閉塞することができ、ドレン排水管１側から管内を加圧することで、気密試験を実施することができる。
因みに、閉塞用キャップ８は、第１継手部材４の第１接続部４ａに相当する部分が閉塞された構造であり、第１継手部材４の場合と同様に、第２継手部材５と簡単に接続して管端部の閉塞を図ることができる。
【００３４】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３５】
１      ドレン排水管
２      継手部
３      ドレンホース
４      第１継手部材（継手筒部に相当）
５      第２継手部材（継手筒部に相当）
６      ファスナー（係止具に相当）
６Ｃ    窓部
ｆ４    フランジ部
ｆ４ａ  先端面（フランジ部の外周面に相当）
ｆ５    フランジ部
ｆ５ａ  先端面（フランジ部の外周面に相当）
Ｋ      空調機
Ｋ２    ドレン排水口
Ｘ      筒軸芯
【図１】
2015105789.tif 000003
【図２】
2015105789.tif 000004
【図３】
2015105789.tif 000005
【図４】
2015105789.tif 000006
【図５】
2015105789.tif 000007
【図６】
2015105789.tif 000008
【図７】
2015105789.tif 000009